(57)【要約】  受信したＦＭステレオ放送波のステレオ信号をチャンネル毎の音声信号に分離するステレオデコード部３０１と、このステレオデコード部３０１で分離したチャンネルの各音声信号をそれぞれ２値化する２値化処理部３０２と、この２値化処理部３０２で２値化したチャンネル毎の音声信号を所定時間分蓄積し、この蓄積したチャンネル毎の音声信号に基づき相関の程度を判定する相関判定部３０３とを備え、相関判定部３０３で判定した相関の程度に応じて、ステレオ信号のチャンネル毎の分離度を制御する。
2011099085.tif 000002
【特許請求の範囲】
【請求項１】
ＦＭステレオ放送波を受信するＦＭラジオ受信装置において、
受信したＦＭステレオ放送波のステレオ信号をチャンネル毎の音声信号に分離するステレオデコード部と、
このステレオデコード部で分離した前記チャンネルの各音声信号をそれぞれ２値化する２値化処理部と、
この２値化処理部で２値化した前記チャンネル毎の音声信号を所定時間分蓄積し、この蓄積したチャンネル毎の音声信号に基づいて、前記チャンネル間の音声信号の相関の程度を判定する相関判定部とを備え、
前記相関判定部で判定した相関の程度に応じて、前記ステレオ信号の前記チャンネル毎の分離度を制御することを特徴とするＦＭラジオ受信装置。
【請求項２】
ＦＭステレオ放送波を受信するＦＭラジオ受信装置において、
受信したＦＭステレオ放送波のステレオ信号をチャンネル毎の音声信号に分離するステレオデコード部と、
このステレオデコード部で分離した前記チャンネルの各音声信号をそれぞれ２値化する２値化処理部と、
この２値化処理部で２値化した前記チャンネル毎の音声信号を所定時間分蓄積し、この蓄積したチャンネル毎の音声信号に基づいて、前記チャンネル間の音声信号の相関の程度を判定する相関判定部と、
前記相関判定部で判定した相関の程度に応じて受信コンテンツの種別を判定するコンテンツ種別判定部とを備え、
前記コンテンツ種別判定部で判定した前記受信コンテンツの種別に応じて、前記ステレオ信号の前記チャンネル毎の分離度を制御することを特徴とするＦＭラジオ受信装置。
【請求項３】
ＦＭステレオ放送波を受信するＦＭラジオ受信装置において、
受信したＦＭステレオ放送波のステレオ信号をチャンネル毎の音声信号に分離するステレオデコード部と、
このステレオデコード部で分離した前記チャンネルの各音声信号をそれぞれ２値化する２値化処理部と、
この２値化処理部で２値化した前記チャンネル毎の音声信号を所定時間分蓄積し、この蓄積したチャンネル毎の音声信号に基づいて、前記チャンネル間の音声信号の相関の程度を判定する相関判定部と、
前記相関判定部で判定した相関の程度に応じて受信コンテンツの種別を判定するコンテンツ種別判定部とを備え、
チャンネル毎に分離した前記ステレオ信号の高域周波数成分を濾波する低域通過フィルタ部のカットオフ周波数を、前記コンテンツ種別判定部で判定した前記受信コンテンツの種別に応じて制御することを特徴とするＦＭラジオ受信装置。
【請求項４】
チャンネル毎に分離した前記ステレオ信号の高域周波数成分を濾波する低域通過フィルタ部のカットオフ周波数を、前記コンテンツ種別判定部で判定した前記受信コンテンツの種別に応じて制御することを特徴とする請求項２記載のＦＭラジオ受信装置。
【発明の詳細な説明】
【技術分野】
【０００１】
この発明は、受信したＦＭ（Frequency Modulation）ステレオ放送波におけるチャンネル間の相関を検出し、ステレオ信号の分離度を制御するＦＭラジオ受信装置に関する。
【背景技術】
【０００２】
車載用ＦＭラジオ受信装置では、ＦＭ放送を受信する際にマルチパス歪みが発生すると、ステレオパイロット信号がその歪みの影響を受け、ステレオ分離が正しく行われない「ステレオ歪み」と呼ばれる弊害が発生する。このステレオ歪みに対し、従来、ステレオ信号をモノラル信号化することが有効であることが知られている。具体的には、左右信号の分離をノイズの発生状況に合わせて制御し、左右の音場に広がり感が大きいステレオ臨場感が高い場合にはモノラル化を抑えて音質を保ち、逆に、左右の音場に広がり感が小さいステレオ臨場感が低い場合には積極的にモノラル化を行うことによって効果的なステレオ歪の抑圧を行っていた。【０００３】
ところで、上記した車載用ＦＭラジオ受信装置では、移動に伴い時々刻々変化する受信電波環境が悪化した場合、ステレオ歪みを抑制するために、上記したステレオ分離度の制限のための制御を行う。このステレオ分離度の制限のための制御は、ステレオ歪みの抑制には効果的であるが、左右の臨場感が損なわれるといった音質上の問題がある。このように、ステレオ歪みの抑制と臨場感の有無とはトレードオフの関係にあり、このため、車載用ＦＭラジオ受信装置では、受信電波環境に応じてステレオ歪みの抑制とステレオ臨場感とのバランスをとった適切な制御を行う必要がある。【０００４】
従来、ＦＭステレオ放送波のチャンネル間の相関を検出し、検出した相関値に応じてステレオ分離度や音質を制御する技術が知られている。この技術によれば、例えば、音楽のようにステレオ臨場感が高い音質が要求されるコンテンツではステレオ分離度の制限を弱め、例えば、ニュースのように、音楽に比較してステレオ臨場感が要求されないコンテンツでは分離度の制限を強めながらノイズ抑制を行うことができる（例えば、特許文献１参照）。【０００５】
上記した特許文献１に開示された技術によれば、ＦＭステレオ放送波を受信してステレオ分離後の各音声信号から和信号と差信号を生成し、これらのレベルを検出することによってチャンネル間の相関値の検出を行なう。また、チャンネル間の相関値検出処理は、ステレオ分離度の頻繁な変化による違和感を回避するために比較的長期に渡って行う必要がある。しかしながら、特許文献１に開示された技術によれば、信号レベル値を使用して相関値検出を行っていたために多くのメモリを必要とするという問題があった。【０００６】
この発明は上記した課題を解決するためになされたものであり、ステレオ分離度の制御を行う際の相関値検出処理に必要なメモリ容量の削減を図りながら、ステレオノイズの抑制とステレオ臨場感とのバランスをとった適切な制御が可能なＦＭラジオ受信装置を提供することを目的とする。
【先行技術文献】
【特許文献】
【０００７】
【特許文献１】特開平８−１７８６７３号公報
【発明の概要】
【０００８】
この発明は、受信したＦＭステレオ放送波におけるチャンネル間の相関を検出し、ステレオ信号の分離度を制限する制御を行うＦＭラジオ受信装置であって、前記ステレオ信号をチャンネル毎の音声信号に分離するステレオデコード部と、このステレオデコード部で分離した前記チャンネルの各音声信号をそれぞれ２値化する２値化処理部と、この２値化処理部で２値化した前記チャンネル毎の音声信号を所定時間分蓄積し、この蓄積したチャンネル毎の音声信号に基づき相関の程度を判定する相関判定部と、を備えたことを特徴とする。
【０００９】
この発明によれば、相関判定部は、２値化されたチャンネル毎の音声信号を所定時間分蓄積し、この蓄積したチャンネル毎の音声信号に基づき相関の程度を判定する。このため、例えば、チャンネル間の相関の程度が高くなるにつれステレオ分離度の制限を強めることによりステレオ臨場感が喪失するといった弊害を抑えることが出来る。また、相関判定部は、ステレオ分離後の各チャンネルの音声信号を２値化したものを所定時間分蓄積してから相関判定を行うことにより、所定期間分蓄積されたチャンネル毎の音声信号のレベル値同士を比較して相関判定を行っていた従来例に比較して、ステレオ信号の蓄積に要するメモリの容量削減が図れ、かつ、相関検出の精度を高めることができるといった効果が得られる。
【図面の簡単な説明】
【００１０】
【図１】この発明の実施の形態１に係るＦＭラジオ受信装置の構成を示すブロック図である。
【図２】この発明の実施の形態１に係るＦＭラジオ受信装置のステレオ分離度の制御動作を示すフローチャートである。
【図３】この発明の実施の形態２に係るＦＭラジオ受信装置の構成を示すブロック図である。
【図４】この発明の実施の形態３に係るＦＭラジオ受信装置の構成を示すブロック図である。
【図５】この発明の実施の形態３に係るＦＭラジオ受信装置のステレオ分離度の制御動作を示すフローチャートである。
【図６】この発明の実施の形態４に係るＦＭラジオ受信装置の構成を示すブロック図である。
【発明を実施するための形態】
【００１１】
以下、この発明をより詳細に説明するために、この発明を実施するための形態について、添付の図面に従って説明する。
実施の形態１．
図１は、この発明の実施の形態１に係るＦＭラジオ受信装置の構成を示すブロック図である。図１に示されるように、実施の形態１に係るＦＭラジオ受信装置１ａは、アンテナ１１と、ＲＦ（Radio Frequency）増幅器１２と、周波数変換器（ＭＩＸ）１３と、局部発振器（ＬＯ）１４と、中間周波フィルタ（ＢＰＦ）１５と、リミッタ中間周波増幅機（ＩＦ−ＡＧＣ ＡＭＰ）１６と、前置フィルタ（ＬＰＦ）１７と、アナログ・デジタル変換器（Ａ／Ｄ）１８と、ＦＭ復調器１９と、ステレオ復調器２０と、ステレオデコーダ２１と、低域通過フィルタ処理部（ＨＣＣ；ハイカットコントロール）２２と、デジタル・アナログ変換器（Ｄ／Ａ）２３と、音声増幅器２４と、スピーカ（ＳＰ）２５と、ステレオ分離度制御部３０と、により構成される。
【００１２】
図１に示す構成において、アンテナ１１で受信されたＦＭ放送波は、ＲＦ増幅器１２で増幅された後、周波数変換器１３で周波数変換され、中間周波フィルタ１５で隣接チャンネル波などの不要成分が除去される。そして、中間周波フィルタ１５を通過したＦＭ放送波は、リミッタ中間周波増幅器１６で振幅制限された後、前置フィルタ１７で中間周波数の高周波成分が除去され、アナログ・デジタル変換器１８でデジタル信号に変換される。アナログ・デジタル変換器１８でデジタル信号に変換されたＦＭ放送波（以下、デジタル形式のＦＭ波という）は、ＦＭ復調器１９でＦＭ復調された後、ステレオ復調器２０でステレオ復調され、ステレオデコーダ２１で、左（Ｌ）右（Ｒ）のステレオ音声信号に分離される。その後、低域通過フィルタ処理部２２で高周波領域の信号成分が濾波され、デジタル・アナログ変換器２３でアナログ音声信号に変換され、更に音声増幅器２４を介してスピーカ２５へ出力される。
【００１３】
ステレオ復調器２０でＦＭ復調されたデジタル形式のＦＭ波は、上記したステレオデコーダ２１の他に、ステレオ分離度制御部３０にも供給される。ステレオ分離度制御部３０は、ステレオ復調器２０から出力されるステレオ復調信号をチャンネル毎の音声信号に分離し、分離したチャンネルの各音声信号をそれぞれ２値化し、２値化したチャンネル毎の音声信号を所定時間分蓄積し、蓄積したチャンネル毎の音声信号に基づき相関の程度を判定する機能を有する。ステレオ分離度制御部３０は、例えば、マイクロコンピュータにより実現され、ＣＰＵが内蔵のメモリに記録されたプログラムを逐次読取り実行することで上記した機能を実現するものである。このため、そのプログラム構造は、ステレオデコード部３０１と、２値化処理部３０２と、相関判定部３０３と、に機能展開して示すことができる。
【００１４】
ステレオデコード部３０１は、ステレオ復調器２０から入力される復調されたデジタル形式のＦＭ波を、例えばマトリクス処理によってチャンネル毎のＬＲ音声信号に分離して２値化処理部３０２へ出力する機能を有する。又、２値化処理部３０２は、ステレオデコード部３０１で分離したＬＲ音声信号を閾値との比較判定によりそれぞれ２値化して相関判定部３０３へ出力する機能を有する。又、相関判定部３０３は、２値化処理部３０２で２値化したＬＲ音声信号を不図示のメモリに所定時間分蓄積し、この蓄積したチャンネル毎の音声信号に基づいて、ＬＲ音声信号間の相関の程度を判定する。相関判定部３０３は更に、判定した相関の程度に応じてステレオデコーダ２１によりデジタル形式のＦＭ波をステレオ信号に分離する際のステレオ分離度を制御する機能を有する。
【００１５】
図２は、この発明の実施の形態１に係るＦＭラジオ受信装置１ａのステレオ分離度の制御動作を示すフローチャートである。
以下、図２を参照しながら、図１に示す実施の形態１に係るＦＭラジオ受信装置１ａの動作について詳細に説明する。
【００１６】
図２によれば、ステレオ分離度制御部３０は、まず、ステレオ復調器２０によって復調されたデジタル形式のＦＭ波（ステレオ復調信号）を取込んでステレオデコード部３０１を起動する（ステップＳＴ２０１）。ステレオデコード部３０１は、取込まれたステレオ復調信号をマトリクス処理によってＬＲ音声信号に分離して２値化処理部３０２へ出力する（ステップＳＴ２０２）。２値化処理部３０２では、入力されたＬＲ音声信号のそれぞれを、予め定義された閾値との比較判定により２値化して内蔵メモリへ蓄積する（ステップＳＴ２０３）。なお、２値化されたＬＲ信号は、後述する受信電波環境に伴う分離度の頻繁な変動による違和感を回避するために所定期間分蓄積しておくこととする。
【００１７】
上記した内蔵メモリに、所定期間分の２値化されたＬＲ信号が蓄積されると（ステップＳＴ２０４“ＹＥＳ”）、相関判定部３０３は、Ｌ信号とＲ信号との一致数を計数する（ステップＳＴ２０５）。続いて相関判定部３０３は、計数した一致数αと、予め定義された相関判定閾値（一致数β）とを比較することによってＬＲ信号間の相関の程度を判定する（ステップＳＴ２０６）。すなわち、相関判定部３０３によってＬＲ分離後のＬ信号とＲ信号の一致数が相関判定閾値以上（α≧β）であると判定されると（ステップＳＴ２０６“ＹＥＳ”）、ステレオデコーダ２１は、入力したステレオ復調信号をＬＲ分離する際にモノラル化を行う方向にステレオ分離度を制御する（ステップＳＴ２０７）。また、相関判定部３０３によってＬＲ分離後のＬ信号とＲ信号の一致数αが相関判定閾値β未満（α＜β）と判定されると（ステップＳＴ２０６“ＮＯ”）、ステレオデコーダ２１は、入力したステレオ復調信号をＬＲ分離する際に、モノラル化を抑制する方向にステレオ分離度を制御する（ステップＳＴ２０８）。
【００１８】
上記した実施の形態１に係るＦＭラジオ受信装置１ａでは、ステレオ復調器２０でステレオ復調を行った後、ステレオ分離度制御部３０が、ステレオデコード部３０１でＬＲ音声信号の分離を行い、相関判定部３０３で２値化され所定期間分蓄積されたＬＲ信号の一致数を計数することにより、ＬＲ信号間の相関の程度を判定する構成とした。このため、従来のように信号レベルを使用する場合と比較して突発的に発生するノイズの影響を受けにくく、実際の聴感に照らした精度の高い相関検出が可能となる。また、チャンネル間の相関の程度が高くなるにつれステレオ分離度の制限を強めることにより、ステレオ臨場感が喪失するといった弊害を抑えることが出来、ステレオノイズの抑制とステレオ臨場感とのバランスをとった適切な制御が可能である。さらに、ＬＲ音声信号を２値化して相関判定を行うことにより、信号レベルにより相関判定していた従来例に比べ、必要なメモリの容量や回路規模の大幅な削減が可能である。
【００１９】
実施の形態２．
図３は、この発明の実施の形態２に係るＦＭラジオ受信装置１ｂの構成を示すブロック図である。図３において、図１に示す実施の形態１との構成上の差異は、ステレオ分離度制御部３０に、更に、コンテンツ種別判定部３０４が付加されたことにあり、コンテンツ種別判定部３０４の出力がステレオデコーダ２１による左右チャンネルの分離度を制御する構成とした。他の構成は、図１に示す実施の形態１のＦＭラジオ受信装置１ａと同様である。
【００２０】
コンテンツ種別判定部３０４は、相関判定部３０３で判定した相関の程度に応じて受信コンテンツの種別を判定する機能を有する。コンテンツの種別判定は、上記した実施の形態１同様、相関判定部３０３がＬＲ分離後の一致数αを計数して相関判定閾値βと比較することにより相関の程度を出力し、コンテンツ種別判定部３０４が、所定の期間に亘り相関の程度（一致数）が大きい場合は、コンテンツが「ニュース」のような比較的ステレオ臨場感を要求されない内容であると判定でき、一方、所定の期間に亘り相関の程度が小さい場合は、コンテンツが「音楽」のようなステレオ臨場感が要求される内容であると判定する。この判定結果に基づいて、ステレオデコータ２１がＬＲ分離を制御する。
【００２１】
上記した実施の形態２に係るＦＭラジオ受信装置１ｂによれば、コンテンツ種別判定部３０４が、相関判定部３０３で判定した相関の程度に応じて受信コンテンツの種別を判定し、ステレオデコータ２１が、判定されたコンテンツの種別に基づきステレオ信号の分離度を制御する。コンテンツ種別判定部３０４が、例えばニュースのように音楽等に比較してステレオ臨場感を必要としないコンテンツであると判定した場合は積極的にモノラル化を図り、例えば音楽のようなステレオ臨場感を必要とするコンテンツであると判定した場合にはモノラル化を抑制することで、コンテンツ内容に応じてステレオノイズの抑制とステレオ臨場感とのバランスをとった適切な制御が可能なＦＭラジオ受信装置１ｂを提供することができる。
【００２２】
実施の形態３．
図４は、この発明の実施の形態３に係るＦＭラジオ受信装置１ｃの構成を示すブロック図である。図４において、図１に示す実施の形態１との構成上の差異は、ステレオ分離度制御部３０に、更に、コンテンツ種別判定部３０５が付加されたことにあり、このコンテンツ種別判定部３０５の出力が低域通過フィルタ処理部（ＨＣＣ；ハイカットコントロール）２２によるカットオフ周波数ｆｃを制御する構成とした。他の構成は、実施の形態１のＦＭラジオ受信装置１ａと同様である。
【００２３】
コンテンツ種別判定部３０５は、相関判定部３０３で判定した相関の程度に応じて受信コンテンツの種別を判定する機能を有する。また、コンテンツ種別判定部３０５は、所定の期間に亘り相関の程度が小さい場合は、音楽のような音質が要求されるコンテンツであると判定でき、逆に、相関の程度が大きい場合は、ニュースのような音質も比較的要求されないコンテンツであると判定できる。低域通過フィルタ処理部２２は、コンテンツ種別判定部３０５で判定されたコンテンツの種別に基づいて、低域通過フィルタのカットオフ周波数ｆｃを制御する。すなわち、コンテンツ種別判定部３０５でコンテンツの内容が音楽であると判定されると、音楽は高域成分が多いと考えられるためカットオフ周波数ｆｃの低下を抑制して一定の音質を保ち、ニュースであると判定された場合、ニュースは比較的高域成分が少ないと考えられるため、カットオフ周波数ｆｃを積極的に低下させる制御を行う。
【００２４】
図５は、この発明の実施の形態３に係るＦＭラジオ受信装置１ｃのステレオ分離度の制御動作を示すフローチャートである。以下、図５を参照しながら、図４に示す実施の形態３に係るＦＭラジオ受信装置１ｃの動作について詳細に説明する。
【００２５】
図５において、ステレオ分離度制御部３０が、ステレオ復調器２０によって復調されたデジタル形式のＦＭ波（ステレオ復調信号）を取込み、ステレオデコード部３０１を起動してから（ステップＳＴ５０１）、相関判定部３０３が、ＬＲの一致数αを計数する（ステップＳＴ５０５）までの動作は、実施の形態１のステップＳＴ２０１〜ＳＴ２０５のそれぞれの動作と同様であるため、重複を回避する意味で説明を省略する。
【００２６】
実施の形態３では、更に、コンテンツ種別判定部３０５が、相関判定部３０３から引き渡される相関の程度に基づいてコンテンツの種別判定を行う（ステップＳＴ５０６）。コンテンツ種別判定部３０５が、所定の期間に亘って相関の程度が小さい場合は音楽のような音質が要求されるコンテンツであると判定すると（ステップＳＴ５０７“ＹＥＳ”）、音楽は、ニュース等に比較して高域周波数成分が多く含まれるため、低域通過フィルタ処理部２２は、カットオフ周波数ｆｃの低下を抑制して音質を保つ制御を行う（ステップＳＴ５０８）。一方、所定の期間に亘って相関の程度が大きい場合、コンテンツ種別判定部３０５は、ニュースのような比較的音質を要求されないコンテンツであると判定する（ステップＳＴ５０７“ＮＯ”）。ニュースは比較的高域周波数成分が少ないことから、低域通過フィルタ処理部２２は、この判定結果に応じてカットオフ周波数ｆｃを積極的に下げる制御を行う（ステップＳＴ５０９）。
【００２７】
上記した実施の形態３に係るＦＭラジオ受信装置１ｃによれば、コンテンツ種別判定部３０５が、相関判定部３０３で判定した相関の程度に応じて受信コンテンツの種別を判定し、低域通過フィルタ処理部２２が、判定されたコンテンツの種別に基づいてカットオフ周波数ｆｃを制御することにより、ニュースのように、比較的音質が要求されないコンテンツであると判定された場合にはカットオフ周波数ｆｃを下げて高域成分を減衰させてノイズ抑制を図り、又、音楽のように、音質が要求されるコンテンツであると判定された場合にはカットオフ周波数ｆｃの低下を抑制して音質を維持する。このことにより、コンテンツ内容に応じてステレオノイズの抑制と音質とのバランスをとった適切な制御が可能なＦＭラジオ受信装置１ｃを提供することができる。
【００２８】
実施の形態４．
図６は、この発明の実施の形態４に係るＦＭラジオ受信装置１ｄの構成を示すブロック図である。図６において、図１に示す実施の形態１との構成上の差異は、ステレオ分離度制御部３０に、更に、コンテンツ種別判定部３０６が付加されたことにあり、このコンテンツ種別判定部３０６の出力に応じて、ステレオデコーダ２１によるステレオ分離度、及び低域通過フィルタ処理部２２によるカットオフ周波数ｆｃが制御される構成とした。他の構成は、実施の形態１のＦＭラジオ受信装置１ａと同様である。
【００２９】
コンテンツ種別判定部３０６は、相関判定部３０３で判定した相関の程度に応じて受信コンテンツの種別を判定する機能を有する。低域通過フィルタ処理部２２は、コンテンツ種別判定部３０６により判定されたコンテンツの種別に基づいて、低域通過フィルタのカットオフ周波数ｆｃを制御する機能を持つ。
【００３０】
コンテンツ種別判定部３０６は、例えば、所定の期間に亘り相関の程度が大きい場合、例えば、ニュースのように比較的ステレオ臨場感が要求されないコンテンツであると判定し、また、所定の期間に亘り相関の程度が小さい場合、例えば、音楽のようなステレオ臨場感が要求されるコンテンツであると判定する。ステレオデコーダ２１は、コンテンツの種別判定の結果に応じて、ステレオ信号の分離度を制御する。さらに、低域通過フィルタ処理部２２は、コンテンツ種別判定部３０６によってコンテンツ種別が音楽であると判定されると、音楽は比較的高域成分が多いと考えられるため、低域通過フィルタのカットオフ周波数ｆｃの低下を抑制して音質を保ち、ニュースであると判定した場合、ニュースは音楽等に比べて高域成分が少ないと考えられるため、カットオフ周波数ｆｃを積極的に下げる制御を行う。
【００３１】
上記した実施の形態４に係るＦＭラジオ受信装置１ｄによれば、コンテンツ種別判定部３０６が、相関判定部３０３で判定した相関の程度に応じて受信コンテンツの種別を判定し、ステレオデコーダ２１が、判定されたコンテンツの種別に基づいて、ステレオ信号の分離度を制御すると共に、低域通過フィルタ処理部２２が、判定されたコンテンツの種別に基づいて、低域通過フィルタのカットオフ周波数を制御する。このようにすることで、コンテンツ内容に応じてステレオノイズの抑制と臨場感及び音質とのバランスをとった適切な制御が可能なＦＭラジオ受信装置１ｄを提供することができる。例えば、コンテンツの内容がニュースのように音楽等に比較して左右の臨場感を必要とせず、比較的音質が要求されないコンテンツであると判定された場合には、積極的にモノラル化を図ると共に、カットオフ周波数ｆｃを下げる制御を行い、音楽のようなコンテンツであると判定された場合には、モノラル化及びカットオフ周波数ｆｃの低下を抑制する制御を行うことで、ステレオノイズの抑制とステレオ臨場感及び音質とのバランスをとった適切な制御が可能になる。
【００３２】
なお、上記した実施の形態１、２、３、４において、ステレオ分離度制御部３０が有する機能は、全てをソフトウェアによって実現しても、あるいは少なくともその一部をハードウエアで実現してもよい。例えば、ステレオ分離度制御部３０が、ステレオ信号をチャンネル毎の音声信号に分離し、分離したチャンネルの各音声信号をそれぞれ２値化し、２値化したチャンネル毎の音声信号を所定時間分蓄積し、蓄積したチャンネル毎の音声信号に基づき相関の程度を判定してステレオ信号の分離度を制御するデータ処理は、１または複数のプログラムによりコンピュータ上で実現しても良く、また、少なくとも一部をハードウエアで実現してもよい。
【産業上の利用可能性】
【００３３】
この発明のＦＭラジオ受信装置（１ａ、１ｂ、１ｃ、１ｄ）は、受信したＦＭステレオ放送波のステレオ信号をチャンネル毎の音声信号に分離して、分離したチャンネルの各音声信号をそれぞれ２値化し、２値化したチャンネル毎の音声信号を所定時間分蓄積し、この蓄積したチャンネル毎の音声信号に基づいて、チャンネル間の音声信号の相関の程度を判定し、判定した相関の程度に応じて、ステレオ信号のチャンネル毎の分離度を制御するので、例えば、チャンネル間の相関の程度が高くなるにつれステレオ分離度の制限を強めることにより、ステレオ臨場感が喪失するといった弊害が抑制される。また、ステレオ分離後の各チャンネルの音声信号を２値化したものを所定時間分蓄積してから相関判定を行うので、ステレオ信号の蓄積に要するメモリの容量削減を図り、相関検出の精度を高めたものである。このため、受信電波環境が時々刻々変化する車載装置を含む移動体に用いて特に顕著な効果が得られる。
【図１】
2011099085.tif 000003
【図２】
2011099085.tif 000004
【図３】
2011099085.tif 000005
【図４】
2011099085.tif 000006
【図５】
2011099085.tif 000007
【図６】
2011099085.tif 000008
【国際調査報告】
2011099085.tif 000009
2011099085.tif 000010
2011099085.tif 000011
2011099085.tif 000012